(57)【要約】【課題】電動工具用電池パックにおいて、電動工具用電池パックに関する使用者の情報を外観だけで簡単に判別できるように設ける。【解決手段】ケース１２にはカバー部材４０が着脱可能に設けられている。このカバー部材４０は、着色や、色彩柄（色パターン）や、形状柄（形状パターン）や、素材感などにより機器本体に装着して使用する使用者に関する情報が載せられているので、この電池パック１０に関する使用者の情報を外観だけで簡単に判別できるようにしてある。開口部４１１は、電池パック１０の下面となる下側ケース１３の下面１２１が外部に露出するように開口されている。このため、この下側ケース１３の下面１２１に不図示の表示シールが貼り付けられていると、このカバー部材４０の開口部４１１により、この不図示の表示シールは、阻害されることなく外部に露出させておくことができる。【選択図】図２
2014229511.tif 000002
【特許請求の範囲】
【請求項１】
工具本体や充電器等の機器本体に対して着脱可能にされる電動工具用電池パックであって、
電池セルと、前記電池セルを収容するケースと、を有し、
前記ケースには、識別情報部材が着脱可能に設けられている、ことを特徴とする電動工具用電池パック。
【請求項２】
工具本体や充電器等の機器本体に対して着脱可能にされる電動工具用電池パックであって、
電池セルと、前記電池セルを収容するケースと、を有し、
前記ケースには、該ケースを保護する保護部材が着脱可能に設けられている、ことを特徴とする電動工具用電池パック。
【発明の詳細な説明】
【技術分野】
【０００１】
本発明は、電動工具の工具本体や充電器等の機器本体に対して着脱可能にされる電動工具用電池パックに関する。
【背景技術】
【０００２】
近年の電動工具にあっては、電源に充電式電池となる電動工具用電池パックが利用されている。この電動工具用電池パックは、電動工具の工具本体に対して着脱可能に構成される。この電動工具用電池パックは、電動工具の電源として使用された後には、工具本体から取り外されて充電器にて充電される。充電器にて充電された電動工具用電池パックは、再び電動工具の電源として工具本体に取り付けられて利用される（例えば、特許文献１参照）。なお、この電動工具用電池パックが装着される工具本体や充電器については、以下、総じて機器本体と称する。この電動工具用電池パックは、概略、ケースと、電池セルと、電池セルの充放電に関する制御を行う回路基板と、を備える。このケースは、電池セル等を内装する筐体として機能するとともに、電動工具用電池パック自体の外装として機能する。
【先行技術文献】
【非特許文献】
【０００３】
【非特許文献１】２０１２年４月発行  マキタ総合カタログ  （ＢＬ１４３０の掲載ページ）
【発明の概要】
【発明が解決しようとする課題】
【０００４】
ところで、通常では、この電動工具用電池パックに関する所有者等のユーザ情報が、電動工具用電池パックに表示されていない。このため、機器本体から電動工具用電池パックが外されて机の上などに単体で置かれていると、所有者以外の者が自分の所有物と勘違いしてしまって、所有者以外の者が電動工具用電池パックを何処かへ持って行ってしまうことがある。このようなことを防止するためにも、この電動工具用電池パックには、この電動工具用電池パックに関する所有者等のユーザ情報が表示されていることが望ましい。さらに言えば、このような所有者等のユーザ情報は、外観だけで簡単に判別できるように分かり易く設けられていることが望ましい。
【０００５】
本発明は、このような事情に鑑みなされたものであって、本発明が解決しようとする課題は、電動工具の工具本体や充電器等の機器本体に対して着脱可能にされる電動工具用電池パックにおいて、電動工具用電池パックに関する使用者の情報を外観だけで簡単に判別できるように設けることにある。
【課題を解決するための手段】
【０００６】
上記した課題を解決するにあたって、本発明に係る電動工具用電池パックは次の手段をとる。すなわち、本発明の第１の発明に係る電動工具用電池パックは、工具本体や充電器等の機器本体に対して着脱可能にされる電動工具用電池パックであって、電池セルと、前記電池セルを収容するケースと、を有し、前記ケースには、識別情報部材が着脱可能に設けられている、ことを特徴とする。なお、識別情報部材としては、例えば「機器本体に装着して使用する使用者に関する情報」が載せられる部材である。また、この「使用者の情報」としては、この電動工具用電池パックを所有する者（団体や個人いずれも含む）の場所時間等に関する情報や、この電動工具用電池パックを使用する者（団体や個人いずれも含む）の場所時間等に関する情報等の、様々な情報を含むものとなっている。この第１の発明に係る電動工具用電池パックによれば、ケースには識別情報部材が着脱可能に設けられているので、この電動工具用電池パックに関する使用者の情報を外観だけで簡単に判別することができる。
【０００７】
第２の発明に係る電動工具用電池パックは、工具本体や充電器等の機器本体に対して着脱可能にされる電動工具用電池パックであって、電池セルと、前記電池セルを収容するケースと、を有し、前記ケースには、該ケースを保護する保護部材が着脱可能に設けられている、ことを特徴とする。この第２の発明に係る電動工具用電池パックによれば、ケースにはケースを保護する保護部材が着脱可能に設けられているので、外部からケースになにか当たるような場合でも、この当たりを保護部材により受けることができる。したがって、保護部材によってケースを保護することができる。なお、保護部材が傷ついた場合には、この傷ついた保護部材をケースから取り外して、新たな保護部材をケースに取り付けることができる。
【図面の簡単な説明】
【０００８】
【図１】第１の実施の形態の電池パックの上側外観斜視を示す上側外観斜視図である。
【図２】図１の電池パックの下側外観斜視を示す下側外観斜視図である。
【図３】図１の電池パック本体とカバー部材とを分けて示す上側斜視図である。
【図４】図２の電池パック本体とカバー部材とを分けて示す下側斜視図である。
【図５】図１の電池パックを側面視にて示す側面図である。
【図６】図１の電池パックを後面視にて示す後面図である。
【図７】図１の電池パックを下面視にて示す下面図である。
【図８】図６における(VIII)-(VIII)断面矢視を示す断面図である。
【図９】図５における(IX)-(IX)断面矢視を示す断面図である。
【図１０】図５における(X)-(X)断面矢視を示す断面図である。
【図１１】第２の実施の形態の電池パックの上側外観斜視を示す外観斜視図である。
【図１２】図１１の電池パックの下側外観斜視を示す外観斜視図である。
【図１３】図１１の電池パック本体とカバー部材とを分けて示す上側斜視図である。
【図１４】図１２の電池パック本体とカバー部材とを分けて示す下側斜視図である。
【図１５】図１１の電池パックを下面視にて示す下面図である。
【図１６】図１５における(XVI)-(XVI)断面矢視を示す断面図である。
【図１７】図１５における(XVII)-(XVII)断面矢視を示す断面図である。
【図１８】第３の実施の形態の電池パックの下側外観斜視を示す外観斜視図である。
【図１９】図１８の電池パック本体とカバー部材とを分けて示す下側斜視図である。
【図２０】図１８における(XX)-(XX)断面矢視を示す断面図である。
【図２１】図１８における(XXI)-(XXI)断面矢視を示す断面図である。
【図２２】第４の実施の形態の電池パックの下側外観斜視を示す外観斜視図である。
【図２３】図２２の電池パック本体とカバー部材とを分けて示す下側斜視図である。
【図２４】図２２における(XXIV)-(XXIV)断面矢視を示す断面図である。
【図２５】図２２における(XXV)-(XXV)断面矢視を示す断面図である。
【図２６】第５の実施の形態の電池パックの上側外観斜視を示す外観斜視図である。
【図２７】図２６の電池パックの下側外観斜視を示す外観斜視図である。
【図２８】図２６の電池パックを分解して示す上側分解斜視図である。
【図２９】図２７の電池パックを分解して示す下側分解斜視図である。
【図３０】図２６における(XXX)-(XXX)断面矢視を示す断面図である。
【図３１】第６の実施の形態の電池パックの上側外観斜視を示す外観斜視図である。
【図３２】図３１の電池パックのプロテクタ部材を外して示す上側分解斜視図である。
【図３３】図３１の電池パックのプロテクタ部材を外して示す下側分解斜視図である。
【図３４】図３１における(XXXIV)-(XXXIV)断面矢視を示す断面図である。
【図３５】図３１における(XXXV)-(XXXV)断面矢視を示す断面図である。
【図３６】第７の実施の形態のプロテクタ部材を外して示す上側分解斜視図である。
【図３７】図３６における(XXXVII)-(XXXVII)断面矢視を示す断面図である。
【図３８】第８の実施の形態の電池パックの上側外観斜視を示す外観斜視図である。
【図３９】図３８の電池パックのプロテクタ部材を外して示す上側分解斜視図である。
【図４０】図３８における(XXXX)-(XXXX)断面矢視を示す断面図である。
【図４１】図３８における(XXXXI)-(XXXXI)断面矢視を示す断面図である。
【発明を実施するための形態】
【０００９】
［第１の実施の形態］
以下に、本発明に係る電動工具用電池パックを実施するための第１の実施の形態について図１〜図１０を参照しながら説明する。図１に示す符号１０は、本発明に係る電動工具用電池パックに相当する電池パックである。この電池パック１０は、例えば電動ドライバに代表される各種の電動工具の工具本体にスライドさせることにより着脱可能に構成される充電式電池である。工具本体に装着された電池パック１０は、電動工具の電源として機能する。このため、電池パック１０は、充電量が少なくなると工具本体から取り外されて充電器に装着されて充電される。この充電器にて充電が完了した電池パック１０は、電動工具の駆動電源として再び工具本体に装着される。これらの工具本体や充電器は、本発明に係る機器本体に相当する。
なお、図面にて規定される電池パック１０の前側は、この電池パック１０のスライド装着させる方向に基づく方向にて設定されている。また、図面にて規定される電池パック１０の上側は、この電池パック１０が不図示の工具本体（電動工具）または充電器に装着される方向に基づく方向にて設定されている。
図１は、第１の実施の形態の電池パック１０の上側外観斜視を示す上側外観斜視図である。図２は、図１の電池パック１０の下側外観斜視を示す下側外観斜視図である。これに対して、図３は、図１の電池パック本体１１とカバー部材４０とを分けて示す上側斜視図である。図４は、図２の電池パック本体１１とカバー部材４０とを分けて示す下側斜視図である。すなわち、電池パック１０は、図１〜図４に示すように、概略、電池パック本体１１と、この電池パック本体１１に着脱可能にされるカバー部材４０と、を備える。また、電池パック本体１１は、概略、ケース１２と、ケース１２の内部に装置される電池本体３０（図８等参照）と、を備える。ケース１２は、電池パック本体１１の外装をなしつつ電池本体３０を内装する筐体として機能する。このケース１２は、下側ケース１３と上側ケース１５とを上下方向に合体して構成される上下の２つ割り構造を有して構成される。合体された下側ケース１３と上側ケース１５とは、螺子部材２８を介して合体状態が保持されている。このように合体されてなるケース１２は、内部に電池本体３０を装置可能な箱形空間をなし、電池本体３０を下側ケース１３に収容した状態で上側ケース１５が取り付けられ、螺子部材２８により一体に螺子止めされる。つまり、螺子部材２８は、下側ケース１３の螺子孔１４１を通されて上側ケース１５の螺子ボス１６に螺子止めされるようになっている。
【００１０】
上側ケース１５は、電池パック本体１１を機器本体（電動工具の工具本体や充電器）にスライド装着させる際の接続側の外装をなす。上側ケース１５の中間部分には、右左で対をなすスライドガイド部１７１，１７２が設けられている。このスライドガイド部１７１，１７２は、機器本体に対しての電池パック１０のスライド装着をガイドする。このため、スライドガイド部１７１，１７２は、スライド装着可能な前後方向に延びるように右左両側に向けて張り出されたフランジ形状により形成される。また、上側ケース１５には、内部の電池本体３０の充放電端子部１８１，１８２と接続可能にスリットが形成されている。また、上側ケース１５から、電池本体３０（図８等参照）の一部をなす信号端子コネクタ１９が外部に露出されている。
また、この上側ケース１５には、フック用開口部２０１および操作用開口部２０２が設けられている。フック用開口部２０１は、雄フック機構２５のフック部２６１が外部に突出可能とされる開口形状を有する。フック用開口部２０１から突き出されたフック部２６１は、外部の不図示の工具本体（電動工具）または充電器の雌部に対して係合される。操作用開口部２０２は、雄フック機構２５のフック部２６１が外部に突出可能とされる開口形状を有する。操作用開口部２０２から操作可能にされる操作部２６２は、フック用開口部２０１から外部に突き出されるフック部２６１の係合をユーザにより解除操作できるようにする。
なお、雄フック機構２５は、電池パック１０を機器本体に対してスライド装着させた場合に、この機器本体に対して取外し可能に係止する構造にて形成される。具体的には、雄フック機構２５は、図８等に示すように、フック形状および指掛かり形状を具備するフック形構造体２６と、このフック形構造体２６を係止方向に付勢する付勢ばね２７とを備える。このフック形構造体２６は、上記したフック部２６１と操作部２６２とを備える。このように構成される雄フック機構２５は、付勢ばね２７の付勢力により自動的にフック部２６１を機器本体の雌部分に係止させるようになっている。また、付勢ばね２７の付勢力に抗して操作部２６２を引き下げると、機器本体の雌部分に対するフック部２６１の係止を解除することができ、電池パック１０をスライドさせて機器本体から取り外すことができる。
【００１１】
図５は、図１の電池パック１０を側面視にて示す側面図である。図６は、図１の電池パック１０を後面視にて示す後面図である。図７は、図１の電池パック１０を下面視にて示す下面図である。図８は、図６における(VIII)-(VIII)断面矢視を示す断面図である。図９は、図５における(IX)-(IX)断面矢視を示す断面図である。図１０は、図５における(X)-(X)断面矢視を示す断面図である。
上記したケース１２の内部に装置される電池本体３０は、充電式電池となる電池パック１０としての各種の機能を有する。この電池本体３０は、図４等に示すように、電池セル部３１と制御基板部３５とを備える。電池セル部３１は、上下に二段で並べられる１０本の電池セル３２と、これらの電池セル３２の電極を電気的に接続するリード板３３とを有する。なお、１０本の電池セル３２は、セルホルダ３４にて保持されている。
制御基板部３５は、電池セル部３１の上側に配置され、マイコンが装備されて各種の制御処理を行う回路基板３６を有する。回路基板３６は、電池セル３２の電極に接続されているリード板３３（図１０参照）を介して電池セル３２の状態を監視する。この回路基板３６は、適宜に搭載されるマイクロコンピュータやその他の電材部品により電池セル３２の充放電に関する制御を行う。
回路基板３６の上面には、充放電端子部１８１，１８２と信号端子コネクタ１９とが設けられている。これら充放電端子部１８１，１８２と信号端子コネクタ１９とは、機器本体側の端子に対して接続される接続端子として構成されている。すなわち、充放電端子部１８１，１８２は、充電器に対して電気的に接続される端子となっている。この充放電端子部１８１，１８２は、電源として工具本体（機器本体）に対して接続されている場合には放電用端子と機能し、充電するために充電器（機器本体）に対して接続されている場合には充電用端子と機能する。このため、この充放電端子部１８１，１８２は、機器本体側のプラス端子と接続されるプラス接続用端子１８１と、機器本体側のマイナス端子と接続されるマイナス接続用端子１８２とを備える。これに対して信号端子コネクタ１９は、電池パック１０として機器本体に装着された際に、この機器本体との間で互いの情報が送受信される端子コネクタとして構成される。なお、送受信される信号は、回路基板３６の制御処理に基づいた情報となっている。
【００１２】
上記したように構成される電池パック本体１１には、図３および図４で示すカバー部材４０が取り付けられている。このカバー部材４０は、ケース１２の材質よりも軟らかい材質の材料にて成形されている。つまり、カバー部材４０は、本発明に係る保護部材に相当する。このカバー部材４０は、弾性変形可能な材質にて成形されている。このため、カバー部材４０は、弾性変形させることによってケース１２に着脱させることができるようになっている。つまり、カバー部材４０は、弾性変形させることにより電池パック本体１１の下部に装着させ、弾性変形させることにより電池パック本体１１の下部から取り外せるうようになっている。つまり、カバー部材４０は、自身の弾性を利用してケース１２に対しての装着および取外し（着脱）が、簡単に行えるようになっている。
このカバー部材４０は、本発明に係る識別情報部材に相当する。すなわち、カバー部材４０が装着された電池パック本体１１は、このカバー部材４０が装着されていない電池パック本体１１と視覚により識別することができるようになっている。さらに言えば、一の色（例えば青色）で着色されるカバー部材４０が装着された電池パック本体１１は、他の色（例えば赤色）で着色されるカバー部材４０が装着された電池パック本体１１と、視覚により識別することができるようになっている。具体的には、カバー部材４０は、上記した弾性変形可能な材料を複数種類の色から選択された色により着色して成形されている。このようなカバー部材４０の色としては、例えば、赤、橙、黄、緑、青、藍、紫等の適宜の色を着けることが可能となっている。また、このような視覚による識別可能とする要件としては、視認可能なレベルであれば視覚による識別可能として足りるものである。つまり、視覚による識別可能とする要件としては、単なる着色から、色彩柄（色パターン）や、形状柄（形状パターン）や、素材感など、さまざまな視認可能な外観を選択することができる。また、色彩柄や形状柄としては、チェック柄、ボーダー柄、ドット柄等、公知のさまざまな柄を選択することができる。なお、このような複数種類の色には、透明や半透明等の適宜の透過性を有する色であってもよく、透過性を有するだけの無色についても複数種類の色の一部として設定されるものであってもよい。
【００１３】
このため、ユーザは、複数の電池パック本体１１が置かれている場合であっても、一目で電池パック本体１１が自分の電池パック本体１１であることを判別することができるようになっている。つまり、このように判別することができるカバー部材４０は、使用者の情報といえるものとなっている。なお、この使用者の情報としては、この電池パック１０を所有する者（団体や個人いずれも含む）の場所時間等に関する情報や、この電池パック１０を使用する者（団体や個人いずれも含む）の場所時間等に関する情報等の、様々な情報を含む。このため、このような様々な情報に応じて、カバー部材４０は、着色された色や、適宜に成形される刻印等で、区分けして成形されるものとなっている。つまり、このカバー部材４０には、この電池パック１０が装着される機器本体について使用する使用者となるユーザに関する情報が載せられるものとなっている。
次に、このように成形されるカバー部材４０についての形状について説明する。このカバー部材４０は、上記したように弾性変形可能な適宜の軟質樹脂を成形することにより形成される。このカバー部材４０は、装着される電池パック本体１１の下側部分の形状に対応して形成されている。すなわち、カバー部材４０は、図１および図２に示すように、概略、下面体４１と、前側端縁部４３と、後側端縁部４４と、右側端縁部４５と、左側端縁部４６とを一体成形することにより形成される。下面体４１は、下側ケース１３の下面１２１の形状に対応して成形される。この下面体４１の真ん中部分には、図示するように開口形状をなす開口部４１１が設けられている。このため、この下面体４１は、この開口形状をなす開口部４１１の周縁をなす周縁支持部４１２のみで形成されている。この周縁支持部４１２は、下側ケース１３の下面１２１の端縁に対面する箇所から内側に張り出される形状を有して形成されている。このカバー部材４０が取り付けられた電池パック１０が載置されると、この周縁支持部４１２が載置面に面接触することにより、このカバー部材４０を介して電池パック１０を支持することとなる。つまり、このカバー部材４０の周縁支持部４１２は、電池パック１０を載置させた場合の電池パック１０が支持を受ける支持底面をなす。このため、電池パック１０の下面１２１の周縁に沿って延ばされるカバー部材４０の周縁支持部４１２は、面一をなす支持底面（下側面をなす外周面）として形成される。なお、このカバー部材４０の上側面をなす内周面には、下側ケース１３の外周形状に対応した適宜の傾斜面形状および適宜の段差形状が設けられるものとなっている。
【００１４】
また、このカバー部材４０の下面体４１には、４つの排水孔４１３が設けられている。この４つの排水孔４１３は、電池パック本体１１の下側ケース１３に設けられる排水孔１４２に対応して設けられる。つまり、カバー部材４０の下面体４１には、下側ケース１３の排水孔１４２の対応箇所において、上下で貫通された排水孔４１３が設けられている。つまり、カバー部材４０の下面体４１では、下側ケース１３の排水孔１４２を通じて排水された水を、上下で貫通された排水孔４１３を通じてカバー部材４０の内周面側から外周面側に向けて排水するようになっている。また、このカバー部材４０の後側端縁部４４には、３つの排水孔４４２が設けられている。この３つの排水孔４４２は、下側ケース１３の後端下部に設けられる排水孔１４３（図７参照）に対応して設けられる。つまり、カバー部材４０の後側端縁部４４では、雄フック機構２５にかかった水を、上下で貫通された排水孔４４２を通じてカバー部材４０の内周面側から外周面側に向けて排水するようになっている。なお、このような３つの排水孔４４２からは、粉塵や砂等についても排出することができるようになっている。
また、前側端縁部４３と、後側端縁部４４と、右側端縁部４５と、左側端縁部４６とは、このように形成される下面体４１の四方の端縁箇所を上側に突き出させるようにして形成される。これら前側端縁部４３と右側端縁部４５との間の角部分は互いに連なる連接形状にて形成される。また、右側端縁部４５と後側端縁部４４との間の角部分も互いに連なる連接形状にて形成される。また、後側端縁部４４と左側端縁部４６との間の角部分も互いに連なる連接形状にて形成される。また、左側端縁部４６と前側端縁部４３との間の角部分も互いに連なる連接形状にて形成される。このように前側端縁部４３と、後側端縁部４４と、右側端縁部４５と、左側端縁部４６とは、電池パック本体１１の下側部分を四方から当たるように連接されて形成されている。
また、右側端縁部４５と左側端縁部４６とのそれぞれの上端縁には、嵌合凸条部４５１，４６１が設けられている。具体的には、右側嵌合凸条部４５１は、右側端縁部４５の上端の縁に沿った凸条として形成されている。この右側嵌合凸条部４５１の凸条は、左側に向けて突き出された凸条である。この右側嵌合凸条部４５１の凸条は、この右側端縁部４５が延びる前後方向に沿って延びている。また、左側端縁部４６との上端縁に設けられる左側嵌合凸条部４６１は、このように形成される右側端縁部４５と対称構造をなす。つまり、左側嵌合凸条部４６１は、左側端縁部４６の上端の縁に沿った凸条として形成されている。この左側嵌合凸条部４６１の凸条は、この左側端縁部４６が延びる前後方向に沿って延びている。つまり、これら右側嵌合凸条部４５１と左側嵌合凸条部４６１とは、カバー部材４０の右左両側の内周縁に沿って、互いに対向するように設けられている。なお、これら嵌合凸条部４５１，４６１は右側端縁部４５と左側端縁部４６とのそれぞれの上端部分に設けられているので、カバー部材４０の上端部分を密着保持させることができて、このカバー部材４０の上端部分の弾性変形による捲れをより効果的に防ぐことができる。
【００１５】
また、僅かであるが、これら右側嵌合凸条部４５１と左側嵌合凸条部４６１とは、前側端縁部４３および後側端縁部４４にも掛かるように延ばされている。つまり、前側端縁部４３にも、右側嵌合凸条部４５１と左側嵌合凸条部４６１とが僅かに延ばされた前側嵌合凸条部４３１が設けられている。この前側嵌合凸条部４３１は、右側嵌合凸条部４５１と左側嵌合凸条部４６１と連なっており、前側端縁部４３の中間部分に関しては分断されている。このため、前側嵌合凸条部４３１は、前側の右左両側の角隅近辺にのみに設けられるものとなっている。また、これと同様に、後側端縁部４４にも、右側嵌合凸条部４５１と左側嵌合凸条部４６１とが僅かに延ばされた後側嵌合凸条部４４１が設けられている。この後側嵌合凸条部４４１も、右側嵌合凸条部４５１と左側嵌合凸条部４６１と連なっており、後側端縁部４４の中間部分に関しては分断されている。このため、後側嵌合凸条部４４１は、後側の右左両側の角隅近辺にのみに設けられるものとなっている。
ところで、上記したカバー部材４０に設けられる右側嵌合凸条部４５１および左側嵌合凸条部４６１は、下側ケース１３に設けられる嵌合凹部８０に嵌め込まれる。この嵌合凹部８０は、右側嵌合凸条部４５１および左側嵌合凸条部４６１の凸条が嵌め込み可能な凹形状を有して形成される。つまり、嵌合凹部８０は、電池パック本体１１にカバー部材４０を取り付けた際の、右側嵌合凸条部４５１および左側嵌合凸条部４６１の凸条が対向される下側ケース１３の外周面に設けられている。具体的には、右側の下側ケース１３の外周面には、嵌合凹部８０としての右側嵌合凹部８５が設けられている。また、左側の下側ケース１３の外周面には、嵌合凹部８０としての左側嵌合凹部８６が設けられている。また、これと同様に下側ケース１３には、上記した前側嵌合凸条部４３１および後側嵌合凸条部４４１を嵌合させる、前側嵌合凹部８３および後側嵌合凹部８４が設けられている。なお、これら前側嵌合凹部８３および後側嵌合凹部８４は、下側ケース１３の外周面のうち、右左両側の角隅近辺にのみに設定されている。なお、カバー部材４０の下側ケース１３への保持は、上記した嵌合凸条部４５１，４６１のような嵌め込む構造以外に、接着構造や係合構造等の公知とされる適宜の構造を選択することができる。
【００１６】
上記した実施の形態の電池パック１０によれば、次の作用効果を奏することができる。すなわち、上記した電池パック１０によれば、ケース１２にはカバー部材４０（識別情報部材）が着脱可能に設けられている。このカバー部材４０は、着色や、色彩柄（色パターン）や、形状柄（形状パターン）や、素材感などにより機器本体に装着して使用する使用者に関する情報が載せられているので、この電池パック１０に関する使用者の情報を外観だけで簡単に判別できるようにしてある。なお、開口部４１１は、電池パック１０の下面となる下側ケース１３の下面１２１が外部に露出するように開口されている。このため、この下側ケース１３の下面１２１に不図示の表示シールが貼り付けられていると、このカバー部材４０の開口部４１１により、この不図示の表示シールは、阻害されることなく外部に露出させておくことができる。したがって、この電池パック１０を使用しようとする者は、このように貼り付けられる表示シールを簡単に目視することができ、使用者等の情報として認識することができる。なお、このように表示シールが貼り付けられる箇所は、一段窪んだ形状にて形成されている。このように一段窪んだ形状に表示シールが貼り付けられていると、この電池パック１０の下面を擦らせても、表示シールに大して擦れる力が加わらないようになり、表示シールの剥がれを抑えることができる。なお、このカバー部材４０自体についてが、自他識別可能な機能を有するようにネームが刻印されるように形成されるものであってもよい。
また、上記した電池パック１０によれば、ケース１２には、ケース１２の材質よりも軟らかい材質のカバー部材４０（保護部材）が着脱可能に設けられているので、外部からケース１２になにか当たるような場合でも、この当たりをケース１２の材質よりも軟らかい材質のカバー部材４０により受けることができる。したがって、カバー部材４０によって電池パック本体１１を保護することができる。なお、カバー部材４０が傷ついた場合には、この傷ついたカバー部材４０をケース１２から取り外して、新たなカバー部材４０をケース１２を取り付けることができて、外観の美観を維持することができる。
【００１７】
［第２の実施の形態］
次に、上記した第１の実施の形態の電池パック１０の変形例である第２の実施の形態の電池パック１０Ａについて図１１〜図１７を参照しながら説明する。なお、以下に説明する第２の実施の形態の電池パック１０Ａは、上記した第１の実施の形態の電池パック１０と比較してカバー部材４０Ａに関する構成が相違する。このため、以下では、このカバー部材４０Ａに関する構成を主に説明し、このカバー部材４０Ａ以外の構成については、上記した第１の実施の形態の説明の際に用いた符号を流用して、その説明を省略するものとする。なお、このような符号の流用には、上記した符号と同一となる符号を付したり、また、第２の実施の形態の電池パック１０Ａに対応して、上記した符号末尾に‘Ａ'を追加したりするものを含むものとなっている。
すなわち、図１１は、第２の実施の形態の電池パック１０Ａの上側外観斜視を示す外観斜視図である。図１２は、図１１の電池パック１０Ａの下側外観斜視を示す外観斜視図である。図１３は、図１１の電池パック本体１１Ａとカバー部材４０Ａとを分けて示す上側斜視図である。図１４は、図１２の電池パック本体１１Ａとカバー部材４０Ａとを分けて示す下側斜視図である。図１５は、図１１の電池パック１０Ａを下面視にて示す下面図である。図１６は、図１５における(XVI)-(XVI)断面矢視を示す断面図である。図１７は、図１５における(XVII)-(XVII)断面矢視を示す断面図である。
この第２の実施の形態のカバー部材４０Ａは、上記した第１の実施の形態のカバー部材４０と比較して次の点で構成が相違する。まず第１点として、この第２の実施の形態のカバー部材４０Ａは、上記した第１の実施の形態のカバー部材４０と比較して下面体４１Ａの形状が相違する。つまり、図１４等に示すように、この第２の実施の形態の下面体４１Ａは、上記した第１の実施の形態の下面体４１と比較して、開口部４１１が埋められる連接形状にて形成される。つまり、この第２の実施の形態の下面体４１Ａは、下側ケース１３の下面１２１の一面の全てを覆うように一面に亘って成形されている。このため、この第２の実施の形態の下面体４１Ａには、第１の実施の形態のカバー部材４０に設けられていた開口部４１１が設けられていない。なお、図１７にて示す符号２９１，２９２は、電池パック本体１１Ａを一体化させるための螺子部材である。
【００１８】
また、第２点として、この第２の実施の形態のカバー部材４０Ａは、第１の実施の形態のカバー部材４０と相違し、下面体４１Ａに下側ケース１３へ取り付ける構造が設けられている。すなわち、第２の実施の形態の下面体４１Ａには、図１３等に示すように上側に突き出される嵌合ボス４７Ａが４つ設けられている。この４つの嵌合ボス４７Ａは、この下面体４１Ａの一部として下面体４１Ａと一体に成形される。なお、この第２の実施の形態のカバー部材４０Ａも、上記した第１の実施の形態のカバー部材４０と同様、の弾性変形可能な材質にて成形されている。この第２の実施の形態の４つの嵌合ボス４７Ａは、上記した第１の実施の形態の嵌合凸条部４５１，４６１と同様の機能目的を有して設けられている。つまり、この嵌合ボス４７Ａは、下面体４１Ａの上面側に適宜間隔の４箇所に４つ設けられている。この嵌合ボス４７Ａは、上記した下側ケース１３の下面に設けられる嵌合孔部８３Ａ，８４Ａ，８５Ａ，８６Ａに嵌め込まれる。つまり、下側ケース１３には、このようにして設けられる４箇所の嵌合ボス４７Ａに対応して、４箇所の嵌合孔部８３Ａ，８４Ａ，８５Ａ，８６Ａが設けられている。このようにカバー部材４０Ａは、４箇所の嵌合孔部８３Ａ，８４Ａ，８５Ａ，８６Ａに４箇所の嵌合ボス４７Ａを嵌合させることによって下側ケース１３に取り付けられるものとなっている。この際、４箇所の嵌合ボス４７Ａが４箇所の嵌合孔部８３Ａ，８４Ａ，８５Ａ，８６Ａに嵌合するにあたっては、弾性変形するようになっている。つまり、嵌合ボス４７Ａは、嵌合孔部８３Ａ，８４Ａ，８５Ａ，８６Ａに対して圧入させることにより嵌め込まれる。なお、この４箇所の嵌合ボス４７Ａが設けられる位置は、上記した複数の電池セル３２の配列の間にて設定されている。このため、カバー体４０を含む電池パック１０Ａの上下方向の高さが高くなってしまうのを抑えることができる。
このように構成される第２の実施の形態の電池パック１０Ａによれば、上記した第１の実施の形態の電池パック１０により奏する作用効果と略同様の作用効果を奏することができる上、次のような作用効果も奏することができる。すなわち、第２の実施の形態の電池パック１０Ａによれば、カバー部材４０Ａの配設範囲が第１の実施の形態のカバー部材４０の配設範囲よりも拡大されているので、カバー部材４０Ａにより電池パック１０Ａを判別するための外観範囲を拡げることができる。したがって、この第２の実施の形態の電池パック１０Ａによれば、このカバー部材４０Ａによる外観判別機能をより向上させる。この第２の実施の形態のカバー部材４０Ａの配設範囲は拡大されているので、このカバー部材４０Ａによる電池パック本体１１Ａの保護する範囲を拡げることができる。したがって、この第２の実施の形態の電池パック１０Ａによれば、カバー部材４０Ａによる電池パック本体１１Ａの保護機能をより向上させることができる。また、この第２の実施の形態の電池パック１０Ａによれば、カバー部材４０Ａは下面体４１Ａが支持されるようになるので、この下面体４１Ａの弾性変形による撓みを抑制することができる。また、カバー部材４０Ａは透明や半透明等の適宜の透過性を有するように形成した場合には、下側ケース１３の下面１２１を下面体４１Ａ越しに視認することができるようになる。
【００１９】
［第３の実施の形態］
次に、上記した第２の実施の形態の電池パック１０Ａの変形例である第３の実施の形態の電池パック１０Ｂについて図１８〜図２１を参照しながら説明する。なお、以下に説明する第３の実施の形態の電池パック１０Ｂは、上記した第２の実施の形態の電池パック１０Ａと比較してカバー部材４０Ｂに関する構成が相違する。このため、以下では、このカバー部材４０Ｂに関する構成を主に説明し、このカバー部材４０Ｂ以外の構成については、上記した第１および第２の実施の形態の説明の際に用いた符号を流用して、その説明を省略するものとする。なお、このような符号の流用には、上記した符号と同一となる符号を付したり、また、第３の実施の形態の電池パック１０Ｂに対応して、上記した符号末尾に‘Ｂ'を追加したりするものを含むものとなっている。すなわち、図１８は、第３の実施の形態の電池パック１０Ｂの下側外観斜視を示す外観斜視図である。図１９は、図１８の電池パック本体１１Ｂとカバー部材４０Ｂとを分けて示す下側斜視図である。図２０は、図１８における(XX)-(XX)断面矢視を示す断面図である。図２１は、図１８における(XXI)-(XXI)断面矢視を示す断面図である。
この第３の実施の形態のカバー部材４０Ｂは、上記した第２の実施の形態のカバー部材４０Ａと比較して次の点で構成が相違する。まず第１点として、この第３の実施の形態のカバー部材４０Ｂは、上記した第２の実施の形態のカバー部材４０Ａとは材質が相違する。具体的には、第３の実施の形態のカバー部材４０Ｂの材料には、適宜の硬度を有するプラスチック樹脂が選択されている。このため、この第３の実施の形態のカバー部材４０Ｂは、第２の実施の形態のカバー部材４０Ａと比較して剛性を有しているので、雄螺子をなす螺子部材４８Ｂを介して下側ケース１３に取り付けられるものとなっている。図１９等に示すように、カバー部材４０Ｂには、螺子部材４８Ｂを挿し通すための螺子挿通孔４７Ｂが設けられている。この螺子挿通孔４７Ｂは、下面体４１Ｂの適宜間隔の４箇所に４つ設けられている。この４つの螺子挿通孔４７Ｂは、螺子部材４８Ｂを挿通可能に下面体４１Ｂを上下に貫通させる貫通孔として形成されている。このように形成される４つの螺子挿通孔４７Ｂのそれぞれに挿通された４つ螺子部材４８Ｂは、下側ケース１３の４つの雌螺子部８３Ｂ，８４Ｂ，８５Ｂ，（後右部分について不図示）に螺子止めされる。すなわち、下側ケース１３の下面には、雄螺子をなす４つの螺子部材４８Ｂが螺合可能となる、雌螺子をなす４つの雌螺子部８３Ｂ，８４Ｂ，８５Ｂ，（後右部分について不図示）が設けられている。なお、このカバー部材４０Ｂの前部をなす前側端縁部４３Ｂには、２つの切欠き部４９Ｂが設けられている。この前側端縁部４３Ｂに設けられる２つの切欠き部４９Ｂは、下側ケース１３の前部に設けられる螺子孔１４１に螺子を差し込むことができるように形成されている。なお、この４つ螺子部材４８Ｂが設けられる位置は、上記した複数の電池セル３２の配列の間にて設定されている。このため、カバー体４０Ｂを含む電池パック１０Ｂの上下方向の高さが高くなってしまうのを抑えることができる。
このように構成される第３の実施の形態の電池パック１０Ｂによれば、上記した第２の実施の形態の電池パック１０Ａにより奏する作用効果と略同様の作用効果を奏することができる上、次のような作用効果も奏することができる。すなわち、第３の実施の形態の電池パック１０Ｂによれば、螺子部材４８Ｂを介してカバー部材４０Ｂを電池パック本体１１Ｂに固定させておくことができる。つまり、螺子部材４８Ｂを一度螺子止めしおけば、カバー部材４０Ｂが電池パック本体１１Ｂが簡単に外れてしまうのを防止することができる。これによって、この第３の実施の形態の電池パック１０Ｂによれば、カバー部材４０Ｂが電池パック本体１１と一体に固定されるように電池パック１０Ｂの一部をなすので、外観だけで簡単に判別できる電池パック１０に関する使用者の情報の信頼性を高めることができる。さらに、この第３の実施の形態のカバー部材４０Ｂは、上記した第１および第２の実施の形態のカバー部材４０，４０Ａに比して剛性が高められているので、上記した第１および第２の実施の形態のカバー部材４０，４０Ａよりも傷が付き難いものとすることができる。
【００２０】
［第４の実施の形態］
次に、上記した第３の実施の形態の電池パック１０Ｂの変形例である第４の実施の形態の電池パック１０Ｃについて図２２〜図２５を参照しながら説明する。なお、以下に説明する第４の実施の形態の電池パック１０Ｃは、上記した第３の実施の形態の電池パック１０Ｂと比較してカバー部材４０Ｃに関する構成が相違する。このため、以下では、このカバー部材４０Ｃに関する構成を主に説明し、このカバー部材４０Ｃ以外の構成については、上記した第１〜第３の実施の形態の説明の際に用いた符号を流用して、その説明を省略するものとする。なお、このような符号の流用には、上記した符号と同一となる符号を付したり、また、第４の実施の形態の電池パック１０Ｃに対応して、上記した符号末尾に‘Ｃ'を追加したりするものを含むものとなっている。すなわち、図２２は、第４の実施の形態の電池パック１０Ｃの下側外観斜視を示す外観斜視図である。図２３は、図２２の電池パック本体１１Ｃとカバー部材４０Ｃとを分けて示す下側斜視図である。図２４は、図２２における(XXIV)-(XXIV)断面矢視を示す断面図である。図２５は、図２２における(XXV)-(XXV)断面矢視を示す断面図である。
この第４の実施の形態のカバー部材４０Ｃは、上記した第３の実施の形態のカバー部材４０Ｂと比較して、材質等の成形材料等に関しては略同様に設定され、配設範囲等に関して相違するものとなっている。つまり、図２３等に示すように、この第４の実施の形態のカバー部材４０Ｃは、上記した第３の実施の形態のカバー部材４０Ｂと比較して、配設範囲が小さくされた点で相違する。
すなわち、この第４の実施の形態のカバー部材４０Ｃの材料にあっても、第３の実施の形態のカバー部材４０Ｂと略同様、適宜の硬度を有するプラスチック樹脂が選択されている。つまり、第４の実施の形態のカバー部材４０Ｃも、適宜の剛性を有し、薄い板厚に設定された板状にて形成されている。ここで、この第４の実施の形態のカバー部材４０Ｃは、上記した第３の実施の形態のカバー部材４０Ｂと比較して、前端部分と後端部分とが詰まらせるように前後方向の配設範囲が省かれている。具体的には、カバー部材４０Ｃの前端位置と後端位置とは、下側ケース１３Ｃの前側部分と後側部分とを外部に露出するように設定されている。つまり、カバー部材４０Ｃの前端位置は、下側ケース１３の前端位置よりも後側に設定されており、カバー部材４０Ｃの後端位置は、下側ケース１３の後端位置よりも前側に設定されている。このようにして、下側ケース１３Ｃの前側部分と後側部分とは、カバー部材４０Ｃに覆われないように外部に露出される。
【００２１】
この第４の実施の形態のカバー部材４０Ｃにあっても、第３の実施の形態のカバー部材４０Ｂと同様に、螺子部材４８Ｃを介して下側ケース１３Ｃに取り付けられる。つまり、図２３等に示すように、カバー部材４０Ｃには、螺子部材４８Ｃを挿し通すための螺子挿通孔４７Ｃが設けられている。この螺子挿通孔４７Ｃは、下面体４１Ｃの適宜間隔の４箇所に４つ設けられている。この４つの螺子挿通孔４７Ｃは、螺子部材４８Ｃを挿通可能に下面体４１Ｃを上下に貫通させる貫通孔として形成されている。このように形成される４つの螺子挿通孔４７Ｃのそれぞれに挿通された４つ螺子部材４８Ｃは、下側ケース１３の４つの雌螺子部８３Ｃ，８４Ｃ，８５Ｃ，（後右部分について不図示）に螺子止めされる。すなわち、下側ケース１３の下面には、雄螺子をなす４つの螺子部材４８Ｃが螺合可能となる、雌螺子をなす４つの雌螺子部８３Ｃ，８４Ｃ，８５Ｃ，（後右部分について不図示）が設けられている。
また、この第４の実施の形態のカバー部材４０Ｃは、下側ケース１３Ｃに取り付けられるにあたって、取り付けられるカバー部材４０Ｃの外部側への出っ張りがなくされるように設けられている。つまり、下側ケース１３Ｃの下面１２１には、取付け凹み部８８Ｃが設けられている。この取付け凹み部８８Ｃは、取り付けられたカバー部材４０Ｃが下側ケース１３Ｃの外周面と略面一をなすように形成されている。すなわち、取付け凹み部８８Ｃは、取り付けられるカバー部材４０Ｃの配設範囲に亘って、取り付けられるカバー部材４０Ｃの板厚に対応した窪み量を有して形成されている。なお、図２４および図２５に示すように、取付け凹み部８８Ｃに取り付けられたカバー部材４０Ｃは、僅かであるが下側に突き出されるように設定されている。また、カバー部材４０Ｃを取り付けるための螺子部材４８Ｃの螺子頭については、このカバー部材４０Ｃよりも下側に突き出されるように設定されている。
【００２２】
また、この第４の実施の形態の下側ケース１３Ｃの下面１２１には、４つの脚部８９Ｃが設けられいてる。これら４つの脚部８９Ｃは、電池パック１０Ｃを載置面に載置させた場合に、載置面から支持力を受けるように電池パック１０Ｃを支持する。この４つの脚部８９Ｃは、下側ケース１３Ｃの下面１２１から適宜に半球面形状にて突き出されて形成される。ここで、電池パック１０Ｃを載置面に載置させた場合には、４つの脚部８９Ｃにより、載置面から上側に螺子部材４８Ｃを含むカバー部材４０を離間配置させる。なお、このカバー部材４０Ｃは、下側ケース１３の下面１２１との間に適宜の空間が設けられるようにして螺子部材４８Ｃにより螺子止めされている。これによって、下側ケース１３の排水孔１４２を通じて排される水は、下側ケース１３の下面１２１とカバー部材４０Ｃとの間を通じて外部に排される。
このように構成される第４の実施の形態の電池パック１０Ｃによれば、上記した第３の実施の形態の電池パック１０Ｂにより奏する作用効果と略同様の作用効果を奏することができる上、次のような作用効果も奏することができる。すなわち、第４の実施の形態の電池パック１０Ｃによれば、カバー部材４０Ｃの配設範囲が小さいことにより従前どおりの電池パックとしての外観や重量を維持することができる。また、４つの脚部８９Ｃは、下側ケース１３Ｃに取り付けられる螺子部材４８Ｃよりも下側に突き出されている。これによって、下側ケース１３Ｃに取り付けられる螺子部材４８Ｃは、載置面（例えば「地面」）に接触させずに、載置面から浮き上がらされた状態とすることができる。
【００２３】
［第５の実施の形態］
次に、上記した第１の実施の形態の電池パック１０の変形例である第５の実施の形態の電池パック１０Ｄについて図２６〜図３０を参照しながら説明する。なお、以下に説明する第５の実施の形態の電池パック１０Ｄは、上記した第１の実施の形態の電池パック１０の本発明に係る保護部材をカバー部材４０にて構成した例から、本発明に係る保護部材をプロテクタ部材５０にて構成する例である。このため、以下では、このプロテクタ部材５０に関する構成を主に説明し、このプロテクタ部材５０以外の構成については、上記した第１の実施の形態の説明の際に用いた符号を流用して、その説明を省略するものとする。なお、このような符号の流用には、上記した符号と同一となる符号を付したり、また、第５の実施の形態の電池パック１０Ｄに対応して、上記した符号末尾に‘Ｄ’を追加したりするものを含むものとなっている。すなわち、図２６は、第５の実施の形態の電池パック１０Ｄの上側外観斜視を示す外観斜視図である。図２７は、図２６の電池パック１０Ｄの下側外観斜視を示す外観斜視図である。図２８は、図２６の電池パック１０Ｄを分解して示す上側分解斜視図である。図２９は、図２７の電池パック１０Ｄを分解して示す下側分解斜視図である。図３０は、図２６における(XXX)-(XXX)断面矢視を示す断面図である。
この第５の実施の形態の電池パック１０Ｄも、上記した第１〜第４の実施の形態の電池パック１０〜１０Ｃと同様、本発明に係る電動工具用電池パックに相当する。図２８等に示すように、電池パック１０Ｄは、概略、電池パック本体１１Ｄと、プロテクタ部材５０とを備える。この第５の実施の形態の電池パック本体１１Ｄは、プロテクタ部材５０を配設するための下側ケース１３Ｄ（ケース１２Ｄ）の構成を除いて、上記した第１〜第４の実施の形態の電池パック本体１１〜１１Ｃと略同様に構成される。すなわち、プロテクタ部材５０は、図２６〜図３０に示すように、電池パック本体１１Ｄの前後右左の側面に亘って設けられる。
【００２４】
プロテクタ部材５０は、本発明に係る保護部材に相当する部材である。また、このプロテクタ部材５０は、本発明に係る識別情報部材に相当する部材である。プロテクタ部材５０は、下側ケース１３Ｄと上側ケース１５Ｄとによって挟み込まれることにより固定保持される。このため、下側ケース１３Ｄと上側ケース１５Ｄとには、プロテクタ部材５０を固定保持する構造が設けられている。すなわち、図３０等に示すように、下側ケース１３Ｄの右側および左側の側壁１３１，１３２のそれぞれには、切欠き部３７と嵌め込み部３８とが設けられている。
具体的には、右側切欠き部３７１（３７）は、下側ケース１３Ｄの右側壁１３１の前後方向中間位置を下側に向けて切り欠くようにして設けられている。この右側切欠き部３７１は、次に説明するプロテクタ部材５０の張出部５３に対応した切欠き形状にて形成されている。右側嵌め込み部３８１（３８）は、右側壁１３１に対向する上側ケース１５Ｄの開口端縁に設けられている。この右側嵌め込み部３８１は、プロテクタ部材５０の配設範囲に対応して設けられるものであり、上側ケース１５Ｄの開口端縁を内周側に凹ませるようにして形成されている。また、この右側嵌め込み部３８１のうち上記した右側切欠き部３７１を除く右側壁１３１の開口端縁には、右側凹溝部３９１（３９）が設けられている。つまり、この右側凹溝部３９１は、右側壁１３１の前後方向中間位置に設けられる右側切欠き部３７１に対して前後方向で隣接されて設けられている。なお、後に説明するが、この右側嵌め込み部３８１は、右側プロテクタ部材５１の線条本体５２１が嵌め込まれる箇所として設定され、この右側凹溝部３９１は、右側プロテクタ部材５１の凸条部５２２が嵌め込まれる箇所として設定される。
【００２５】
これと同様に、左側切欠き部３７２（３７）は、下側ケース１３Ｄの左側壁１３２の前後方向中間位置を下側に向けて切り欠くようにして設けられている。この左側切欠き部３７２は、次に説明するプロテクタ部材５０の張出部５８に対応した切欠き形状にて形成されている。左側嵌め込み部３８２（３８）は、左側壁１３２に対向する上側ケース１５Ｄの開口端縁に設けられている。この左側嵌め込み部３８２は、プロテクタ部材５０の配設範囲に対応して設けられるものであり、上側ケース１５Ｄの開口端縁を内周側に凹ませるようにして形成されている。また、この左側嵌め込み部３８２のうち上記した左側切欠き部３７２を除く左側壁１３２の開口端縁には、左側凹溝部３９２（３９）が設けられている。つまり、この左側凹溝部３９２は、左側壁１３２の前後方向中間位置に設けられる左側切欠き部３７１に対して前後方向で隣接されて設けられている。なお、後に説明するが、この左側嵌め込み部３８２は、左側プロテクタ部材５６の線条本体５７１が嵌め込まれる箇所として設定され、この左側凹溝部３９２は、右側プロテクタ部材５１の凸条部５７２が嵌め込まれる箇所として設定される。
このようにして設けられる切欠き部３７（３７１，３７２）および嵌め込み部３８（３８１，３８２）は、次に説明するプロテクタ部材５０を強固に挟み込む構造として下側ケース１３Ｄおよび上側ケース１５Ｄに対して設定されている。
【００２６】
プロテクタ部材５０は、電池パック１０Ｄのうち主として右側に面して配設される右側プロテクタ部材５１と、電池パック１０Ｄのうち主として左側に面して配設される左側プロテクタ部材５６とを有する。これら右側プロテクタ部材５１と左側プロテクタ部材５６とは互いに分離されて左右両側に配置されるようになっている。これら右側プロテクタ部材５１および左側プロテクタ部材５６は、ケース１２Ｄの材質よりも軟らかい材質の材料にて個々に一体成形されている。なお、これら右側プロテクタ部材５１および左側プロテクタ部材５６を含むプロテクタ部材５０は、上記したカバー部材４０と同様に設定されるものであってよい。すなわち、これら右側プロテクタ部材５１および左側プロテクタ部材５６を含むプロテクタ部材５０は、透明や半透明を含む複数種類の色から選択された色により着色された弾性変形可能な材料にて成形されていればよいものである。なお、右側プロテクタ部材５１は、着脱プレート部材５５が取付け可能にされている点で左側プロテクタ部材５６と構成が一部相違する。
右側プロテクタ部材５１および左側プロテクタ部材５６のそれぞれは、電池パック１０Ｄの前後方向に延ばされる電池パック１０Ｄの中心軸線に対して、互いに左右方向で略線対称をなして形成されている。このため、以下では、互いに左右方向で略線対称をなす右側プロテクタ部材５１および左側プロテクタ部材５６を纏めて説明する。
すなわち、図２８および図２９に示すように、右側プロテクタ部材５１および左側プロテクタ部材５６は、主として前後方向に延びる線条部５２，５７を有して形成されている。この線条部５２，５７のそれぞれは、下側ケース１３Ｄの開口端縁形状に沿った形状を有して形成されるものである。具体的には、線条部５２，５７のそれぞれは、右左の側壁１３１，１３２の開口端縁形状に沿った線条本体５２１，５７１と、前側壁１３３の開口端縁形状に沿った前側線条部５２３，５７３と、後側壁１３４の開口端縁形状に沿った後側線条部５２４，５７４とを有する。これら線条本体５２１，５７１と前側線条部５２３，５７３と後側線条部５２４，５７４とは、次に詳述するが、一体成形により前後方向に延在される連接された形状を有する。
【００２７】
線条本体５２１，５７１は、右左の側壁１３１，１３２の開口端縁に沿うように前後方向に延ばされた線条にて形成される。線条本体５２１，５７１の前後方向の中間部分には、張出部５３，５８が設けられている。この張出部５３，５８は、線条本体５２１，５７１から下側に向けて側面視略矩形の形状を張り出すようにして形成されている。この張出部５３，５８のそれぞれは、上記した切欠き部３７（３７１，３７２）の開口スペースを埋めるように、この切欠き部３７（３７１，３７２）の切欠き形状と対応した形状を有する。つまり、張出部５３，５８のそれぞれは、切欠き部３７１，３７２の開口スペースを十分に埋める大きさを有して形成されている。また、この線条本体５２１，５７１には、図３０に示すように、上記した右側嵌め込み部３８１および左側嵌め込み部３８２に対して嵌め込まれる凸条部５２２，５７２が設けられている。この凸条部５２２，５７２は、この線条本体５２１，５７１の延在方向に沿って延びるように形成される。また、この凸条部５２２，５７２の凸条断面形状は、図示するように上記した右側嵌め込み部３８１および左側嵌め込み部３８２それぞれの凹溝形状に対して、圧入可能な凸条断面形状をなしている。このように設けられる張出部５３，５８と凸条部５２２，５７２とは、下側ケース１３Ｄに設けられる切欠き部３７（３７１，３７２）と嵌め込み部３８（３８１，３８２）に対して密着するようになっている。つまり、プロテクタ部材５０は、下側ケース１３Ｄと上側ケース１５とにより強固に挟み込まれる。
【００２８】
前側線条部５２３，５７３は、上記した線条本体５２１，５７１の前端にて連接されている。この前側線条部５２３，５７３は、下側ケース１３Ｄの前側壁１３３の開口端縁に沿うように、前側壁１３３の外周に沿った屈曲形状を有して形成される。この前側線条部５２３，５７３の端部には、螺子ボス１６の外周に引っ掛かる前側取付部５４１，５９１が設けられている。この前側取付部５４１，５９１は、螺子ボス１６の外周に対応した内周を有するＣ字形形状にて形成されて螺子ボス１６の外周に掛止される。なお、螺子ボス１６には、下側ケース１３Ｄに設けられる螺子孔１４１に挿通された長螺子部材１６１が螺合されるようになっている。
後側線条部５２４，５７４は、上記した線条本体５２１，５７１の後端にて連接されている。この後側線条部５２４，５７４は、下側ケース１３Ｄの後側壁１３４の開口端縁に沿うように、後側壁１３４の外周に沿った屈曲形状を有して形成される。この後側線条部５２４，５７４の端部には、螺子ボス１６の外周に引っ掛かる後側取付部５４２，５９２が設けられている。この後側取付部５４２，５９２は、螺子ボス１６の外周に対応した内周を有するＣ字形形状にて形成されて螺子ボス１６の外周に掛止される。なお、螺子ボス１６には、下側ケース１３Ｄに設けられる螺子孔１４１に挿通された長螺子部材１６１が螺合されるようになっている。
ところで上記したプロテクタ部材５０のうち、右側プロテクタ部材５１の張出部５３については、着脱プレート部材５５を付け外しできるように設定されている。この着脱プレート部材５５は、概略、プレート体５５１と、２つの雄螺子部材５５３とを備える。プレート体５５１は、いわゆるネームプレートとして形成される。つまり、このプレート体５５１は、自他を識別可能な機能を有するように設定されている。プレート体５５１は、金属製となっており、２つの雄螺子部材５５３を介して張出部５３に螺合できるようになっている。このため、プレート体５５１には、雄螺子部材５５３の雄螺子部分を挿通可能にする挿通孔５５２が設けられている。これに対応して、張出部５３には、この雄螺子部材５５３を螺合可能にする雌螺子孔５３２が設けられている。このようにして、着脱プレート部材５５は、プレート体５５１を雄螺子部材５５３を介して張出部５３に対して付け外し可能に螺子止めされる。つまり、プレート体５５１は、雄螺子部材５５３を螺子外しすることにより、張出部５３から取り外すことができる。
【００２９】
なお、プレート体５５１としては、本発明に係る保護部材に相当する機能や、本発明に係る識別情報部材に相当する機能を有する設定されるものであってもよい。すなわち、プレート体５５１にあっては、金属製ではなく、上記した第１の実施の形態のカバー部材４０のように弾性変形可能な材質にて成形されるものであってもよい。また、このプレート体５５１は、上記した第１の実施の形態のカバー部材４０のように、複数種類の色から選択された色により着色して成形されるものであってもよい。つまり、プレート体５５１に設定される自他を識別可能な機能としては、視覚にて自他を識別可能とする広義の自他を識別する機能とするものであればよい。このようにプレート体５５１には一目で判別可能な機能が持たせてあり、このように判別することができるプレート体５５１を含むプロテクタ部材５０は、使用者の情報を判別可能に表示するものといえる。なお、この使用者の情報としては、カバー部材４０と同様、上記したこの電池パック１０Ｄを所有する者（団体や個人いずれも含む）の場所時間に関する情報や、この電池パック１０Ｄを使用する者（団体や個人いずれも含む）の場所時間に関する情報等の、様々な情報を含む。このため、このような様々な情報に応じて、プロテクタ部材５０は、着色された色や、適宜に成形される刻印等で、区分けして成形されるものとなっている。つまり、このプロテクタ部材５０には、この電池パック１０が装着される機器本体について使用する使用者となるユーザに関する情報が載せられるものとなっている。
【００３０】
このように構成される第５の実施の形態の電池パック１０Ｄによれば、上記した第１の実施の形態の電池パック１０により奏する作用効果と略同様の作用効果を奏することができる上、次のような作用効果も奏することができる。すなわち、第５の実施の形態の電池パック１０Ｄによれば、プロテクタ部材５０のプレート体５５１を螺子回しにより簡単に着脱させることができる。これによって、表示する使用者の情報を書き換えたい場合に、この書換えを容易に行うことができて利便性を高めることができる。また、このプロテクタ部材５０のプレート体５５１は、電池パック１０Ｄの右側の側面に設けられているので、この電池パック１０Ｄを載置したままでも側面視により視認することができて、電池パック１０Ｄを手に取らずとも使用者の情報を判別することができる。また、上記したプロテクタ部材５０は、電池パック１０Ｄの主として右左の側面に面して設けられているので、この右左の側面への当たりをプロテクタ部材５０により保護することができる。さらに言えば、プロテクタ部材５０は、電池パック１０Ｄの前後の側面にも面して設けられているので、この前後の側面への当たりをプロテクタ部材５０により保護することができる。また、第５の実施の形態の電池パック１０Ｄによれば、下側ケース１３Ｄと上側ケース１５との間にプロテクタ部材５０が設けられるので、下側ケース１３Ｄと上側ケース１５との間に生じてしまう隙間をより確実に埋めることができる。これによって、電池パック１０Ｄの防水性および防塵性を高めることができる。さらに言えば、第５の実施の形態の電池パック１０Ｄによれば、プロテクタ部材５０の張出部５３，５８および凸条部５２２，５７２は、下側ケース１３Ｄに設けられる切欠き部３７（３７１，３７２）と嵌め込み部３８（３８１，３８２）と密着することができるので、このような電池パック１０Ｄの防水性および防塵性をより高めることができる。また、線条部５２，５７のそれぞれは、右左の側壁１３１，１３２に設けられる凹溝部３９により、外側にずらされてしまうことを抑えることができる。右側および左側のプロテクタ部材５０（５１，５６）は、後側取付部５４２，５９２により、下側ケース１３Ｄおよび上側ケース１５Ｄから離脱され難いようにすることができる。
なお、上記した下側ケース１３Ｄに設けられる嵌め込み部３８１，３８２に対しての、線条本体５２１，５７１の凸条部５２２，５７２の嵌合構造としては、上記した形状に限定されるものではない。すなわち、嵌め込み部３８１，３８２に対する凸条部５２２，５７２の嵌合構造としては、互いに密着するように嵌合可能な組合せであれば、上記した実施の形態に限定されることなく、適宜に嵌合可能な組合せを選択することができる。
【００３１】
［第６の実施の形態］
次に、上記した第５の実施の形態の電池パック１０Ｄの変形例である第６の実施の形態の電池パック１０Ｅについて図３１〜図３５を参照しながら説明する。なお、以下に説明する第６の実施の形態の電池パック１０Ｅは、上記した第５の実施の形態の電池パック１０Ｄと比較してプロテクタ部材６０に関する構成が相違する。このため、以下では、このプロテクタ部材６０に関する構成を主に説明し、このプロテクタ部材６０以外の構成については、上記した第１および第５の実施の形態の説明の際に用いた符号を流用して、その説明を省略するものとする。なお、このような符号の流用には、上記した符号と同一となる符号を付したり、また、第６の実施の形態の電池パック１０Ｅに対応して、上記した符号末尾に‘Ｅ’を追加したりするものを含むものとなっている。すなわち、図３１は、第６の実施の形態の電池パック１０Ｅの上側外観斜視を示す外観斜視図である。図３２は、図３１の電池パック１０Ｅのプロテクタ部材６０を外して示す上側分解斜視図である。図３３は、図３１の電池パック１０Ｅのプロテクタ部材６０を外して示す下側分解斜視図である。図３４は、図３１における(XXXIV)-(XXXIV)断面矢視を示す断面図である。図３５は、図３１における(XXXV)-(XXXV)断面矢視を示す断面図である。
上記した第５の実施の形態のプロテクタ部材５０は、下側ケース１３Ｄと上側ケース１５とによって挟み込まれることによりケース１２Ｄに固定保持されるものであった。これに対して第６の実施の形態のプロテクタ部材６０は、図３１〜図３５に示すように、下側ケース１３Ｅに対して係止する構造を設けることによりケース１２Ｅに固定保持されるものとなっている。
すなわち、この第６の実施の形態のプロテクタ部材６０は、適宜の剛性を有するように形成される。このため、この第６の実施の形態のプロテクタ部材６０の材料としては、適宜の硬度を有するプラスチック樹脂が選択されている。このプロテクタ部材６０は、図示するように右側壁１３１のみに取り付けられており、左側壁１３２には取り付けられていない。このプロテクタ部材６０は、上記した第５の実施の形態のプロテクタ部材５０の線条本体５２１のみで構成されるかのような形状を有する。
【００３２】
プロテクタ部材６０は、図３２等に示すように、下側ケース１３Ｅの右側壁１３１とは別個の部材として形成される。このプロテクタ部材６０は、概略、線条本体６１と、前端掛止部６３と、後端掛止部６４とを有する。線条本体６１は、上下方向で幅をなし左右方向で厚みをなす平板状に形成され、右側壁１３１の前後長の長さを有して前後方向に延びるように形成されている。なお、この線条本体６１は、幅をなす上下方向の長さが非常に短く設定されており、下側ケース１３Ｅの右側壁１３１に取り付けられる。
このように形成される線条本体６１の前端には前端掛止部６３が設けられている。この前端掛止部６３は、図３２等に示すように、下側ケース１３Ｅの前側壁１３３に対して掛止可能に構成されている。すなわち、前端掛止部６３は、右側壁１３１から前側壁１３３に向けて回り込む湾曲形状を有して形成される。この湾曲形状は、下側ケース１３Ｅの右側壁１３１と前側壁１３３との境界をなす角隅形状に対応している。この前端掛止部６３の湾曲形状の端部には、後側に向けて突き出される雄フック部６３１が設けられている。この雄フック部６３１は、下側ケース１３Ｅに設けられる雌溝６５に嵌合される部分である。なお、この雄フック部６３１は、前端掛止部６３の湾曲形状による弾性を利用して揺動可能となっており、下側ケース１３Ｅの雌溝６５に嵌合可能にされる。
これと同様に、線条本体６１の後端には後端掛止部６４が設けられている。この後端掛止部６４も、図３２等に示すように、下側ケース１３Ｅの後側壁１３４に対して掛止可能に構成されている。すなわち、後端掛止部６４は、右側壁１３１から後側壁１３４に向けて回り込む湾曲形状を有して形成される。この湾曲形状は、下側ケース１３Ｅの右側壁１３１と後側壁１３４との境界をなす角隅形状に対応している。この後端掛止部６４の湾曲形状の端部には、前側に向けて突き出される雄フック部６４１が設けられている。この雄フック部６４１は、下側ケース１３Ｅに設けられる雌溝６６に嵌合される部分である。なお、この雄フック部６４１は、後端掛止部６４の湾曲形状による弾性を利用して揺動可能となっており、下側ケース１３Ｅの雌溝６６に嵌合可能にされる。
【００３３】
これに対して下側ケース１３Ｅには、上記したプロテクタ部材６０を着脱可能にするための構造が設けられている。すなわち、下側ケース１３Ｅには、上側に面する開口端縁近くにプロテクタ部材６０を嵌め込むようにされる凹み部３７Ｅが設けられている。この凹み部３７Ｅは、取り付けられるプロテクタ部材６０の配設範囲に対応して形成されている。この凹み部３７Ｅは、下側ケース１３Ｅの右側壁１３１の外周面を僅かに凹ませることにより形成されている。なお、この凹み部３７Ｅに取り付けられたプロテクタ部材６０は、このプロテクタ部材６０の板厚から凹み部３７Ｅの凹み段差が差し引いた突出し量で外部に出っ張った状態となっている。この凹み部３７Ｅの前後の端部には、雌溝６５，６６が設けられている。すなわち、凹み部３７Ｅの前側の端部には、雌溝６５が設けられている。雌溝６５は、右側壁１３１と前側壁１３３との境界をなす角隅の近傍となる前側壁１３３に対して形成されている。この雌溝６５は、上記したプロテクタ部材６０の雄フック部６３１が適宜に嵌合可能な凹形状にて形成される。また、凹み部３７Ｅの後側の端部には、雌溝６６が設けられている。雌溝６６は、下側ケース１３Ｅの右側壁１３１と後側壁１３４との境界をなす角隅の近傍となる後側壁１３４に対して形成されている。この雌溝６６は、上記したプロテクタ部材６０の雄フック部６４１が適宜に嵌合可能な凹形状にて形成される。なお、これら雌溝６５，６６に対する雄フック部６３１，６４１の嵌合は、線条本体６１が長尺であることによる弾性が利用されている。
このように構成される第６の実施の形態の電池パック１０Ｅによれば、上記した第５の実施の形態の電池パック１０Ｄにより奏する作用効果と略同様の作用効果を奏することができる上、プロテクタ部材６０を非常にシンプルに構成することができつつ、電池パック本体１１Ｅへの付け外しも非常に簡単に行える、という利点を享受することができる。
【００３４】
［第７の実施の形態］
次に、上記した第６の実施の形態の電池パック１０Ｅの変形例である第７の実施の形態の電池パック１０Ｆについて図３６および図３７を参照しながら説明する。なお、以下に説明する第７の実施の形態の電池パック１０Ｆは、上記した第６の実施の形態の電池パック１０Ｅと比較してプロテクタ部材６０Ｆに関する構成が相違する。このため、以下では、このプロテクタ部材６０Ｆに関する構成を主に説明し、このプロテクタ部材６０Ｆ以外の構成については、上記した第１および第６の実施の形態の説明の際に用いた符号を流用して、その説明を省略するものとする。なお、このような符号の流用には、上記した符号と同一となる符号を付したり、また、第７の実施の形態の電池パック１０Ｆに対応して、上記した符号末尾に‘Ｆ’を追加したりするものを含むものとなっている。すなわち、図３６は、第７の実施の形態の電池パック１０Ｆのプロテクタ部材６０Ｆを外して示す上側分解斜視図である。図３７は、図３６における(XXXVII)-(XXXVII)断面矢視を示す断面図である。
この第７の実施の形態のプロテクタ部材６０Ｆは、上記した第６の実施の形態のプロテクタ部材６０Ｅと比較して、配設範囲に関しては略同様に設定され、成形材料や取り付けられる際の嵌合構造について相違するものとなっている。すなわち、この第７の実施の形態のプロテクタ部材６０Ｆは、下側ケース１３Ｆの右側壁１３１とは別個の部材として形成され、下側ケース１３Ｆと上側ケース１５Ｆとを上下方向で合体させるに際して挟み込まれるようにして保持される。このプロテクタ部材６０Ｆは、概略、線条本体６１Ｆと、前端部６３Ｆと、後端部６４Ｆとを有する。このプロテクタ部材６０Ｆは、上記した第６の実施の形態のプロテクタ部材６０Ｅよりも軟質な成形材料が選択されている。また、このプロテクタ部材６０Ｆが取り付けられる際の嵌合構造としては、線条本体６１Ｆに設けられる形状が利用されている。つまり、上記した第６の実施の形態のプロテクタ部材６０Ｅは、前後端に設けられる掛止構造によりケース１２Ｅに取り付けられる構造をなしていたが、この第７の実施の形態のプロテクタ部材６０Ｆは、線条本体６１Ｆに設けられる掛止構造によりケース１２Ｆに取り付けられる構造をなしている。
【００３５】
この第７の実施の形態の線条本体６１Ｆは、上記した第６の実施の形態の線条本体６１と略同様に、上下方向で幅をなし左右方向で厚みをなす平板状に形成され、右側壁１３１の前後長の長さを有して前後方向に延びるように形成されている。この線条本体６１Ｆも、幅をなす上下方向の長さが非常に短く設定されており、下側ケース１３Ｅの右側壁１３１に取り付けられる。ここで、図３７に示すように、線条本体６１Ｆの下側端縁には、この下側端縁から下側に線条に突き出される下側嵌合凸条部６５Ｆが設けられている。この下側嵌合凸条部６５Ｆは、線条本体６１Ｆの内周面側（ケース側）部分を下側に張り出させて線条本体６１Ｆの延在方向に沿って延ばしている。これにより、この線条本体６１Ｆの下側端縁には、適宜の段差形状が形成されるものとなっている。また、これと同様に、線条本体６１Ｆの上側端縁には、この上側端縁から上側に線条に突き出される上側嵌合凸条部６６Ｆが設けられている。この上側嵌合凸条部６６Ｆは、線条本体６１Ｆの内周面側（ケース側）部分を上側に張り出させて線条本体６１Ｆの延在方向に沿って延ばしている。これにより、この線条本体６１Ｆの上側端縁には、適宜の段差形状が形成されるものとなっている。なお、この線条本体６１Ｆの前端に設けられる前端部６３Ｆは、右側壁１３１から前側壁１３３に向けて回り込む湾曲形状を有しているのみで、上記した第６の実施の形態のような掛止構造は設けられていない。これと同様に、線条本体６１Ｆの後端に設けられる後端部６４Ｆも、右側壁１３１から後側壁１３４に向けて回り込む湾曲形状を有しているのみで、上記した第６の実施の形態のような掛止構造は設けられていない。
【００３６】
これに対して、この第７の実施の形態のケース１２Ｆには、上記した下側嵌合凸条部６５Ｆおよび上側嵌合凸条部６６Ｆを嵌合させる下側嵌合凹部６７および上側嵌合凹部６８が設けられている。具体的には、下側嵌合凹部６７は、上記した下側嵌合凸条部６５Ｆを嵌め込み可能に設定される凹溝形にて形成され、下側ケース１３Ｆの開口端縁に沿って設けられている。また、上側嵌合凹部６８は、上記した上側嵌合凸条部６６Ｆを嵌め込み可能に設定される凹溝形にて形成され、上側ケース１５Ｆの開口端縁に沿って設けられている。このように形成された下側嵌合凹部６７および上側嵌合凹部６８は、プロテクタ部材６０Ｆを挟み込みながら下側ケース１３Ｆと上側ケース１５Ｆと合体させるに際して、プロテクタ部材６０Ｆの下側嵌合凸条部６５Ｆおよび上側嵌合凸条部６と嵌合するようになっている。このように凹凸嵌合されたプロテクタ部材６０は、この下側ケース１３Ｆと上側ケース１５Ｆとの合体により確実に保持されるように挟み込まれることとなる。なお、このようなプロテクタ部材６０Ｆの凹凸嵌合は、このプロテクタ部材６０Ｆの弾性を利用した圧入による嵌合であってもよい。このようにプロテクタ部材６０Ｆがケース１２Ｆに対して凹凸嵌合されている場合には、このケース１２Ｆをなす下側ケース１３Ｆと上側ケース１５Ｆとの境界部分の密着性を高めることができて、防水および防塵に優れたケース構造（筐体構造）をなすこととなる。つまり、このように構成される第７の実施の形態の電池パック１０Ｆにあっても、上記した第６の実施の形態の電池パック１０Ｅにより奏する作用効果と略同様の作用効果を奏することができる上、より防水および防塵に優れた電池パックとすることができる。
【００３７】
［第８の実施の形態］
次に、上記した第６の実施の形態の電池パック１０Ｅの変形例である第８の実施の形態の電池パック１０Ｇについて図３８〜図４１を参照しながら説明する。なお、以下に説明する第８の実施の形態の電池パック１０Ｇは、上記した第６の実施の形態の電池パック１０Ｅと比較してプロテクタ部材６０Ｇに関する構成が相違する。このため、以下では、このプロテクタ部材６０Ｇに関する構成を主に説明し、このプロテクタ部材６０Ｇ以外の構成については、上記した第１および第６の実施の形態の説明の際に用いた符号を流用して、その説明を省略するものとする。なお、このような符号の流用には、上記した符号と同一となる符号を付したり、また、第８の実施の形態の電池パック１０Ｇに対応して、上記した符号末尾に‘Ｆ’を追加したりするものを含むものとなっている。すなわち、図３８は、第８の実施の形態の電池パック１０Ｇの上側外観斜視を示す外観斜視図である。図３９は、図３８の電池パックのプロテクタ部材を外して示す上側分解斜視図である。図４０は、図３８における(XXXX)-(XXXX)断面矢視を示す断面図である。図４１は、図３８における(XXXXI)-(XXXXI)断面矢視を示す断面図である。
この第８の実施の形態のプロテクタ部材６０Ｇは、上記した第６の実施の形態のプロテクタ部材６０Ｅと比較して、成形材料に関しては略同様に設定され、配設範囲や取り付けられる際の嵌合構造について相違するものとなっている。すなわち、この第８の実施の形態のプロテクタ部材６０Ｇは、下側ケース１３Ｇの後側壁１３４に取り付けられるものであり、この下側ケース１３Ｇとは別個の部材として形成される。このプロテクタ部材６０Ｇは、図３９等に示すように上面視コ字形にて形成される。このプロテクタ部材６０Ｇは、上記した第６の実施の形態のプロテクタ部材６０Ｅと同等の硬質な成形材料が選択されている。このプロテクタ部材６０Ｇは、主として下側ケース１３Ｇの後側壁１３４に沿って取り付けられるため、この下側ケース１３Ｇの後側の外周面形状に沿った形状を有して形成されている。
【００３８】
プロテクタ部材６０Ｇは、概略、後側面体６１Ｇと、右側連結部６３Ｇと、左側連結部６４Ｇとを有した一体の成形部材となっている。後側面体６１Ｇは、下側ケース１３Ｇの後側壁１３４に面する部分として設定される。これに対して、右側連結部６３Ｇは、この後側面体６１Ｇの右端から直交方向となる前側に延ばされるように形成され、下側ケース１３Ｇの右側壁１３１に面する部分として設定される。この右側連結部６３Ｇの端部近傍には、下側ケース１３Ｇに結合させるための嵌合凸部６３１Ｇが設けられている。また、左側連結部６４Ｇは、この後側面体６１Ｇの左端から直交方向となる前側に延ばされるように形成され、下側ケース１３Ｇの右側壁１３１に面する部分として設定される。また、この左側連結部６４Ｇの端部近傍には、下側ケース１３Ｇに結合させるための嵌合凸部６４１Ｇが設けられている。なお、この下側ケース１３Ｇにあっても、このプロテクタ部材６０Ｇを取り付けるにあたっての凹み部３７Ｇが設けられている。この凹み部３７Ｇは、取り付けられるプロテクタ部材６０Ｇの配設範囲に対応して形成されており、下側ケース１３Ｇの後、右、左の各側壁１３４，１３１，１３２の外周面を僅かに凹ませることにより形成されている。なお、この凹み部３７Ｇに取り付けられたプロテクタ部材６０Ｇは、このプロテクタ部材６０Ｇの板厚から凹み部３７Ｇの凹み段差が差し引いた突出し量で外部に出っ張った状態となっている。また、このように凹み部３７Ｇが設けられる右、左の各側壁１３１，１３２には、プロテクタ部材６０Ｇに設けられる嵌合凸部６３１Ｇ，６４１Ｇを嵌合させる嵌合凹部６５Ｇ，６６Ｇが設けられている。このようにプロテクタ部材６０Ｇの嵌合凸部６３１Ｇ，６４１Ｇが、下側ケース１３Ｇの嵌合凹部６５Ｇ，６６Ｇに嵌合すると、下側ケース１３Ｇにプロテクタ部材６０Ｇが取り付けられた状態となる。
このように構成される第８の実施の形態の電池パック１０Ｇによれば、上記した第６の実施の形態の電池パック１０Ｅにより奏する作用効果と略同様の作用効果を奏することができる。つまり、上記した第６の実施の形態の電池パック１０Ｅでは、主として電池パック１０Ｅの右側面においてプロテクタ部材６０を配設する作用効果を享受することができたが、この第８の実施の形態の電池パック１０Ｇでは、主として電池パック１０Ｇの後側面においてプロテクタ部材６０Ｇを配設する作用効果を享受することができる。
【００３９】
なお、本発明に係る電動工具用電池パックにあっては、上記した実施の形態に限定されるものではなく、次のように適宜個所を変更して構成するようにしてもよい。すなわち、上記した実施の形態にあっては、電池セルの個数が１０個に設定されるものであったが、本発明に係る電池セルの個数としては、これに限定されることなく、適宜の個数が設けられるものであってもよい。また、本発明に係る電動工具用電池パックにあっては、識別情報部材に載せられる情報としては、上記した実施の形態の例に限定されることなく適宜の情報を選択することができる。また、本発明に係る電動工具用電池パックにあっては、保護部材の軟らかさとしては、上記した実施の形態の例に限定されることなく適宜の硬度を有するように選択することもできる。
また、上記した実施の形態の電池パック１０にて供給される電圧としては、特に例示するものであったが、適宜の電圧にて設定されるものであってよい。例えば、本発明に係る電動工具用電池パックにて供給される電圧としては、３．６Ｖ、７．２Ｖ、１０．８Ｖ、１４．４Ｖ、１８Ｖ、２４Ｖ、２５．２Ｖ、３６Ｖ等の、適宜の電圧にて設定されるものであってよい。また、上記した実施の形態の電池パック１０にあっては、いわゆるスライド式と称されるスライドさせて装着させるタイプの電動工具用電池パックの例であった。しかしながら、本発明に係る電動工具用電池パックとしては、これに限定されることなく、いわゆる差込み式と称される差し込んで装着させるタイプの電動工具用電池パックの例にて構成されるものであってもよい。
【符号の説明】
【００４０】
１０，１０Ａ，１０Ｂ，１０Ｃ，１０Ｄ，１０Ｅ，１０Ｆ，１０Ｇ  電池パック（電動工具用電池パック）
１１  電池パック本体
１２  ケース
１３  下側ケース
１５  上側ケース
１６  螺子ボス
１７１，１７２  スライドガイド部
１８１，１８２  充放電端子部
１９  信号端子コネクタ
２５  雄フック機構
２６  フック形構造体
３０  電池本体
３１  電池セル部
３２  電池セル
３３  リード板
３４  セルホルダ
３５  制御基板部
３６  回路基板
３７  切欠き部
３８  嵌め込み部
３９１  右側凹溝部
３９２  左側凹溝部
４０，４０Ａ，４０Ｂ，４０Ｃ  カバー部材（識別情報部材、保護部材）
５０  プロテクタ部材（保護部材）
５１  右側プロテクタ部材
５５  着脱プレート部材
５６  左側プロテクタ部材
５２，５７  線条部
５３，５８  張出部
６０，６０Ｅ，６０Ｆ，６０Ｇ  プロテクタ部材（識別情報部材、保護部材）
８０  嵌合凹部
１２１  下面（識別可能な部分）
１３１  右側壁
１３２  左側壁
１３３  前側壁
１３４  後側壁
【図１】
2014229511.tif 000003
【図２】
2014229511.tif 000004
【図３】
2014229511.tif 000005
【図４】
2014229511.tif 000006
【図５】
2014229511.tif 000007
【図６】
2014229511.tif 000008
【図７】
2014229511.tif 000009
【図８】
2014229511.tif 000010
【図９】
2014229511.tif 000011
【図１０】
2014229511.tif 000012
【図１１】
2014229511.tif 000013
【図１２】
2014229511.tif 000014
【図１３】
2014229511.tif 000015
【図１４】
2014229511.tif 000016
【図１５】
2014229511.tif 000017
【図１６】
2014229511.tif 000018
【図１７】
2014229511.tif 000019
【図１８】
2014229511.tif 000020
【図１９】
2014229511.tif 000021
【図２０】
2014229511.tif 000022
【図２１】
2014229511.tif 000023
【図２２】
2014229511.tif 000024
【図２３】
2014229511.tif 000025
【図２４】
2014229511.tif 000026
【図２５】
2014229511.tif 000027
【図２６】
2014229511.tif 000028
【図２７】
2014229511.tif 000029
【図２８】
2014229511.tif 000030
【図２９】
2014229511.tif 000031
【図３０】
2014229511.tif 000032
【図３１】
2014229511.tif 000033
【図３２】
2014229511.tif 000034
【図３３】
2014229511.tif 000035
【図３４】
2014229511.tif 000036
【図３５】
2014229511.tif 000037
【図３６】
2014229511.tif 000038
【図３７】
2014229511.tif 000039
【図３８】
2014229511.tif 000040
【図３９】
2014229511.tif 000041
【図４０】
2014229511.tif 000042
【図４１】
2014229511.tif 000043